【事件の表示】
　特願２０００−２２７７１２「遊技機」拒絶査定不服審判事件〔平成１４年　２月　５日出願公開、特開２００２−　３５２８４〕について、次のとおり審決する。
【結　論】
　本件審判の請求は、成り立たない。
【理　由】
１．手続の経緯
　本願は、平成１２年７月２７日の出願であって、平成１５年８月５日付けで拒絶査定がなされ、これに対し、平成１５年９月１８日に拒絶査定に対する審判請求がなされるとともに、同日付けで手続補正がなされたものである。
　　　　　　　　　　　　　　　　　　　　　　　　　　　　　　　　　
２．平成１５年９月１８日付けの手続補正（以下、「本件補正」という。）について
　　　　　　　　　　　　　　　　　　　　　　　　　　　　　　　　　
［
補正却下の決定の結論
　平成１５年９月１８日付けの手続補正を却下する。
　　　　　　　　　　　　　　　　　　　　　　　　　　　　　　　　　
　本件補正により、特許請求の範囲の請求項１は、
「図柄表示領域(31)と、遊技に必要な複数種類の第１図柄(43)(44)(45)が胴部(19c)(20c)(21c) に表わされ且つその回動後に前記第１図柄(43)(44)(45)のうちの回動方向に隣り合う複数コマ分が前記図柄表示領域(31)に対応して表示されるように停止する複数個の回胴体(19)(20)(21)と、該回胴体(19)(20)(21)を別々に駆動する駆動手段(22)(23)(24)と、前記図柄表示領域(31)に対応して前記回胴体(19)(20)(21)の内部に配置され且つ前記回胴体(19)(20)(21)の回動方向に複数コマの第２図柄(46)を変動表示可能な電気的表示手段(25)とを備え、前記電気的表示手段(25)の前記回動方向の前記第２図柄(46)のコマ数は前記図柄表示領域(31)の前記回動方向のコマ数と同じであり、前記第２図柄(46)は前記電気的表示手段(25)の前記複数コマに跨がって移動するように所定の変動パターンで変動可能であり、前記電気的表示手段(25)が内部に配置された前記回胴体(19)(20)(21)は、内部の前記電気的表示手段(25)側を前から視認可能で且つ前記図柄表示領域(31)の前記回動方向のコマ数と同数分だけ連続的に設けられた透過性部(20d) と視認不能な遮蔽部(20e)とを前記回動方向に有することを特徴とする遊技機。」と補正された。
　　　　　　　　　　　　　　　　　　　　　　　　　　　　　　　　　
　上記補正は、請求項１に記載した発明を特定するために必要な事項である「電気的表示手段(25)」の「変動表示」について、「前記第２図柄(46)は前記電気的表示手段(25)の前記複数コマに跨がって移動するように所定の変動パターンで変動可能であり、」と限定するものであって、特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（平成１５年改正前の特許法第１７条の２第５項において準用する同法第１２６条第４項の規定に適合するか）について以下に検討する。
　　　　　　　　　　　　　　　　　　　　　　　　　　　　　　　　　
（１）引用発明
(１-1)　特開２０００−１１６８４３号公報
　原査定の拒絶の理由に引用された、本願の出願前に頒布された刊行物である、特開２０００−１１６８４３号公報（以下、「引用例1」という。）には以下の記載がある。
1-a 「【請求項１】　円周方向に一定間隔おきに文字や数字や絵柄などの識別記号を付した複数の回転体を有し、視認可能な有効表示領域に回転体の回転角度に応じて識別記号を可変表示する第１表示手段と、
　少なくとも１つの回転体の少なくとも１つの特定表示部位における識別記号を第１表示手段とは異なる表示機構で可変表示する第２表示手段と、
　を備えたことを特徴とする遊戯機。
【請求項２】　前記第２表示手段として、回転体の特定表示部位に液晶表示手段を設けた請求項１記載の遊戯機。
【請求項３】　前記回転体の特定表示部位に透視窓を設け、第２表示手段として、有効表示領域の後方に透視窓を通して視認可能に液晶表示手段を設けた請求項１記載の遊戯機。」（特許請求の範囲の請求項１ないし３）
1-b「・・・第１表示手段２の３つの回転ドラム１０の外周部には帯状にフィルム体１１が外装され、フィルム体１１には円周方向に一定間隔おきに文字や数字や絵柄などの識別記号が印刷等により形成され、これら３つの回転ドラム１０は図示外のステッピングモータによりぞれぞれに独立に回転駆動される。・・・スロットマシン１の前面パネルの上部には３つの回転ドラム１０に対応させて３つの表示窓１２が設けられ、各回転ドラム１０は、その前部の３つの識別記号が表示窓１２から視認できるように配置されている。・・・」（段落【００１０】）
1-c「第２表示手段３は、周知の構成の液晶表示パネル１６を備えており、この液晶表示パネル１６は右端に配置される回転ドラム１０の照明手段１３のフレーム１４の前面に、フレーム１４に形成した３つの凹部１４ａに対応させてそれぞれ設けられている。また、右端の回転ドラム１０のフィルム体１１の特定表示部位には透視窓１７が設けられ、この透視窓１７を通して液晶表示パネル１６を視認できるように構成されている。・・・液晶表示パネル１６は、制御手段６により制御され、回転ドラム１０にプリントした識別記号と同様の識別記号を表示可能に構成されている。・・・」（段落【００１１】）
　　　　　　　　　　　　　　　　　　　　　　　　　　　　　　　　　
　上記の記載より、引用例１（特開２０００−１１６８４３号公報）には、以下の発明（以下、「引用発明１」という）が記載されていると認められる。
　「円周方向に一定間隔おきに文字や数字や絵柄などの識別記号を付した複数の回転体を有し、視認可能な有効表示領域に回転体の回転角度に応じて識別記号を可変表示する第１表示手段と、少なくとも１つの回転体の少なくとも１つの特定表示部位に透視窓を設け、第２表示手段として、有効表示領域の後方に透視窓を通して視認可能に液晶表示手段を設けたスロットマシンであって、第１表示手段２の３つの回転ドラム１０の外周部には帯状にフィルム体１１が外装され、フィルム体１１には円周方向に一定間隔おきに文字や数字や絵柄などの識別記号が印刷等により形成され、これら３つの回転ドラム１０はステッピングモータによりそれぞれに独立に回転駆動され、スロットマシン１の前面パネルの上部には３つの回転ドラム１０に対応させて３つの表示窓１２が設けられ、各回転ドラム１０は、その前部の３つの識別記号が表示窓１２から視認できるように配置されており、第２表示手段３は、周知の構成の液晶表示パネル１６を備えており、この液晶表示パネル１６は右端に配置される回転ドラム１０の照明手段１３のフレーム１４の前面に、フレーム１４に形成した３つの凹部１４ａに対応させてそれぞれ設けられ、また、右端の回転ドラム１０のフィルム体１１の特定表示部位には透視窓１７が設けられ、この透視窓１７を通して液晶表示パネル１６を視認できるように構成されており、液晶表示パネル１６は制御手段６により制御され、回転ドラム１０にプリントした識別記号と同様の識別記号を表示可能に構成されている、スロットマシン。」
　　　　　　　　　　　　　　　　　　　　　　　　　　　　　　　　　
(１-2)　特開平３−６０６８１号公報
　原査定の拒絶の理由に引用された、本願の出願前に頒布された刊行物である、特開平３−６０６８１号公報（以下、「引用例２」という。）には以下の記載がある。
2-a「スロットマシンの外観を示す第３図において、前面パネル２には３個の表示窓３〜５が設けられ、表示窓３〜５の奥には第１〜第３リール６〜８が回転自在に配置されている。これらのリール６〜８の外周には一定ピッチで複数個のシンボルが配列され、各々シンボル列を構成している。そして、表示窓３〜５を通してリール６〜８のシンボルをそれぞれ３個ずつ観察することができるようになっている。」（第２頁右下欄第１−９行）
2-b「表示窓３〜５には横３本、斜め２本の合計５本の入賞ライン９が記され・・・る。１〜３枚のコインを投入口１０から入れた後、スタートレバー１２を操作すると第１〜第３リール６〜８が一斉に回転し、リールごとに設けられたストップボタン１３〜１５を押すとリールが停止する。リールが停止したとき、有効化された入賞ライン上に停止しているシンボルを組み合わせて入賞の有無が表示される。そして、シンボルの組み合わせが入賞に該当していると、その入賞役に応じて予め定められた枚数の配当コインが払い出される。」（第２頁右下欄第１０行−第３頁左上欄第５行）
2-c「第１リール６は二重構造をしたリールユニット２０の外側リールとなっており、その内側には同軸で回転自在な内リール１７が設けられている。これらの第１リール６及び内リール１７は、それぞれステッピングモータ１８，１９の駆動軸１８a，１９aに直結され、各々個別に駆動される。」（第３頁左上欄第８−１４行）
2-d「第１リール６の外周には、図示のように「７」，「プラム」，「オレンジ」，・・・等のシンボルが配列されるとともに、特殊シンボルとしてほぼシンボル１個分の大きさの開口窓２５が形成されている。また、内リール１７の外周にも「７」，「プラム」，「ＢＡＲ」その他のシンボルが配列されている。」（第３頁左上欄第１９行−右上欄第５行）
2-e「第１リール６の開口窓２５が表示窓３に現れているときには、開口窓２５を通して内リール１７のシンボル１個を観察することができる。・・・開口窓２５の大きさを複数個分のシンボルサイズに対応した大きなものにしてもよい。」（第３頁右上欄第１２−１８行）
2-f「第１リール６、内リール１７を駆動するステッピングモータ１８，１９の回転及び停止は、それぞれモータ制御回路３０，３１によって制御される。同様に、第２リール７、第３リール８を駆動するステッピングモータ３２，３３の回転、停止はモータ制御回路３４，３５によって制御される。」（第３頁左下欄第４−１０行）
2-g「第１〜第３リール６〜８の回転が停止した時点で、カウンタ４６，４８，４９のカウント値が第１〜第３シンボルテーブル５８〜６１と対照され、入賞の有無が確認される。さらに、第１リール６が「開口窓」を停止表示しているときには、開口窓２５を通して観察される内リール１７についてもカウンタ４７のカウント値が参照され、シンボル判定が行われる。」（第５頁左下欄第１６行−右下欄第３行）
2-h「第７図は、本発明の他の実施例を示すもので、例えば前述した第１実施例の第１リール６の代わりに用いることができる。ステッピングモータ７０によって駆動されるリール７１の外周には複数のシンボルが一定ピッチで配列され、そのシンボル配列中にはシンボル１個分の開口７２が形成されている。・・・リール７１の内壁には、液晶表示パネル７５の他、電池及び表示パターンデータを格納したメモリを含むドライブユニット７６、光信号受光部７７が取り付けられ、液晶表示パネル７５の表示面は、開口７２から露出している。」（第７頁左上欄第２−１４行）
2-i「液晶表示パネル７５には複数種類のシンボルが順次に表示され、擬似的にシンボルの移動表示が行われる。そして、停止制御時には予め停止シンボル決定回路５４で決められたシンボル表示を行うように、表示データ発信器７８を駆動すれば、すでに述べた第１実施例と同様の機能を得ることができる。」（第７頁右上欄第１４−２０行）
　　　　　　　　　　　　　　　　　　　　　　　　　　　　　　　　　
　上記の記載によれば、引用例２（特開平３−６０６８１号公報）には以下の発明（以下、「引用発明２」という）が記載されていると認められる。
　「前面パネル２には３個の表示窓３〜５が設けられ、表示窓３〜５の奥には第１リール６、第２リール７、第３リール８が回転自在に配置されており、これらのリールの外周には一定ピッチで複数個のシンボルが配列され、各々シンボル列を構成し、表示窓３〜５を通してリールのシンボルをそれぞれ３個ずつ観察することができるようになっており、表示窓３〜５には横３本、斜め２本の合計５本の入賞ライン９が記され、１〜３枚のコインを投入口１０から入れた後、スタートレバー１２を操作すると第１〜第３リールが一斉に回転し、リールごとに設けられたストップボタン１３〜１５を押すとリールが停止し、有効化された入賞ライン上に停止しているシンボルを組み合わせて入賞の有無が表示され、シンボルの組み合わせが入賞に該当していると、その入賞役に応じて予め定められた枚数の配当コインが払い出されるスロットマシンにおいて、第１リール６の外周には「７」，「プラム」，「オレンジ」，・・・等のシンボルが一定ピッチで配列されるとともに、特殊シンボルとしてほぼシンボル１個分の大きさの開口窓２５が形成され、また、内リール１７の外周にも「７」，「プラム」，「ＢＡＲ」その他のシンボルが配列され、第１リール６の開口窓２５が表示窓３に現れているときには、開口窓２５を通して内リール１７のシンボル１個を観察することができるもので、開口窓２５の大きさを複数個分のシンボルサイズに対応した大きなものにしてもよく、第１〜第３リール６〜８の回転が停止した時点で、カウンタ４６，４８，４９ののカウント値が第１〜第３シンボルテーブル５８〜６１と対照されて入賞の有無が確認され、さらに、第１リール６が「開口窓」を停止表示しているときには、開口窓２５を通して観察される内リール１７についてもカウンタ４７のカウント値が参照され、シンボル判定が行われるもので、第１リール６の代わりに、外周に複数のシンボルが一定ピッチで配列され、そのシンボル配列中にはシンボル１個分の開口７２が形成され、リール７１の内壁には液晶表示パネル７５を取り付けたリール７１を用いることができ、さらにリール７１の内壁には、液晶表示パネル７５の他、電池及び表示パターンデータを格納したメモリを含むドライブユニット７６、光信号受光部７７が取り付けられ、液晶表示パネル７５の表示面は開口７２から露出して複数種類のシンボルが順次に表示され、擬似的にシンボルの移動表示が行われて、内リール１７を用いた場合と同様の機能を得ることができる、スロットマシン。」
　　　　　　　　　　　　　　　　　　　　　　　　　　　　　　　　　
（２）対比 　 　 
　本願補正発明と引用発明１とを対比すると、引用発明１における「回転ドラム」は本願補正発明における「回胴体」に対応しており、同様に、「（ドラムの）円周方向」は「（回胴体の）胴部」に、「（「回転ドラム」の）識別記号」は「第１図柄」に、「（「液晶表示パネル」の）識別記号」は「第２図柄」に、それぞれ対応しており、さらに引用発明１について次のことがいえる。
(i) 引用発明１は、「前面パネルの上部には３つの回転ドラム１０に対応させて３つの表示窓１２が設けられ」（摘示1-b）ており、上記「３つの表示窓１２」は、その機能に照らすと、本願補正発明を特定する「図柄表示領域(31)」に対応するものであり、上記「３つの回転ドラム１０」の「円周方向」に「形成され」た「識別記号」のうち、「前部の３つの識別記号が表示窓１２から視認できるように配置され」（摘示1-b）ているものである。
　そして、引用発明１における「識別記号」（本願補正発明における「第１図柄」に対応する。）は「文字や数字や絵柄など」より成り、遊技に必要な複数種類の「識別記号」（「第１図柄」）を実質的に意味しているといえるとともに、「表示窓１２から視認できるように配置され」た「３つの識別記号」は、「表示窓１２」（「図柄表示領域(31)」）に対応して表示される、回動方向に隣り合う３コマ分の「識別記号」（「第１図柄」）を意味しており、本願補正発明における「回動後に第１図柄のうちの回動方向に隣り合う複数コマ分が前記図柄表示領域に対応して表示されるように停止する」ことに対応するといえる。また、引用発明１は「スロットマシン」に関する発明であり、本願補正発明における「遊技機」の概念に包含されるものである。
　そうすると、同引用発明１は、本願補正発明を特定する「図柄表示領域と、遊技に必要な複数種類の第１図柄が胴部に表わされ且つその回動後に前記第１図柄のうちの回動方向に隣り合う複数コマ分が前記図柄表示領域に対応して表示されるように停止する複数個の回胴体」の事項に対応する構成を備えているということができる。
　　　　　　　　　　　　　　　　　　　　　　　　　　　　　　　　　
(ii) 引用発明１は、「３つの回転ドラム１０はステッピングモータによりそれぞれに独立に回転駆動され」（摘示1-b）るものであり、同引用発明１は、本願補正発明を特定する「回胴体を別々に駆動する駆動手段」の事項に対応する構成を備えているということができる。
　　　　　　　　　　　　　　　　　　　　　　　　　　　　　　　　　
(iii) 引用例１には、「第２表示手段３は、周知の構成の液晶表示パネル１６を備えており、この液晶表示パネル１６は右端に配置される回転ドラム１０の照明手段１３のフレーム１４の前面に、フレーム１４に形成した３つの凹部１４ａに対応させてそれぞれ設けられ」（摘示1-c）ることが記載されており、さらに引用例１の図２、図４の記載を併せると、「液晶表示パネル１６」は「表示窓１２」に対応して「右端に配置される回転ドラム１０」の内部に配置されており、「フレーム１４に形成した３つの凹部１４ａ」により３コマの「識別記号を表示可能に構成」（摘示1-c）されているということができる。そして、上記した「識別記号」の「表示」とは、その技術的意義に照らすと、本願補正発明を特定する「変動表示」に対応するものといえるとともに、「３コマ」の「識別記号」（本願補正発明における「第２図柄」に対応する。）とは、回動方向に「３コマ」の「識別記号」（「第２図柄」）を意味しているといえるから、本願補正発明における「回動方向に複数コマの第２図柄」の事項に対応するものである。
　また、引用発明１における「液晶表示パネル１６」は本願補正発明における「電気的表示手段」に包含されるものである。
　そうすると、同引用発明１は、本願補正発明を特定する「前記図柄表示領域に対応して前記回胴体の内部に配置され且つ前記回胴体の回動方向に複数コマの第２図柄を変動表示可能な電気的表示手段とを備え」の事項に対応する構成を備えているということができる。
　　　　　　　　　　　　　　　　　　　　　　　　　　　　　　　　　
(iv) 上記(iii)に記載したように、引用発明１における「液晶表示パネル１６」（「電気的表示手段」）は、回動方向に「３コマ」の「識別記号」（「第２図柄(46)」）を変動表示可能とされている。
　一方、引用発明１における「表示窓１２」（「図柄表示領域(31)」）は、「各回転ドラム１０」の「３つの識別記号」を視認可能（摘示1-b）とされているから、「液晶表示パネル１６」（「電気的表示手段」）の回動方向の「識別記号」（「第２図柄(46)」）のコマ数（３コマ）は、「表示窓１２」（「図柄表示領域(31)」）の回動方向のコマ数（３コマ）と同じである。
　そうすると、同引用発明１は、本願補正発明を特定する「前記電気的表示手段の前記回動方向の前記第２図柄のコマ数は前記図柄表示領域の前記回動方向のコマ数と同じであり」の事項に対応する構成を備えているということができる。
　　　　　　　　　　　　　　　　　　　　　　　　　　　　　　　　　
(v) 引用発明１は、「３つの回転ドラム１０の外周部には帯状にフィルム体１１が外装され、フィルム体１１には円周方向に一定間隔おきに文字や数字や絵柄などの識別記号が印刷等により形成され」（摘示1-b）ているとともに、「右端の回転ドラム１０のフィルム体１１の特定表示部位には透視窓１７が設けられ、この透視窓１７を通して液晶表示パネル１６を視認できるように構成され」（摘示1-c）ている。
　そして、引用発明１における上記「（液晶表示パネル１６を視認できる）透視窓１７」はその機能に照らすと、本願補正発明における「（電気的表示手段(25)側を前から視認可能な）透過性部(20d)」に対応するものであり、同引用発明１において、「透視窓１７」を除く部分は本願補正発明における「視認不能な遮蔽部(20e)」に実質上対応するものといえる。
　そうすると、同引用発明１は、本願補正発明を特定する「前記電気的表示手段が内部に配置された前記回胴体は、内部の前記電気的表示手段側を前から視認可能な透過性部と視認不能な遮蔽部とを前記回動方向に有する」の事項に対応する構成を備えているということができる。
　　　　　　　　　　　　　　　　　　　　　　　　　　　　　　　　　
　以上の事項より、本願補正発明と引用発明１とは以下の点で一致し、また、相違していると認められる。
一致点；
　図柄表示領域と、遊技に必要な複数種類の第１図柄が胴部に表わされ且つその回動後に前記第１図柄のうちの回動方向に隣り合う複数コマ分が前記図柄表示領域に対応して表示されるように停止する複数個の回胴体と、該回胴体を別々に駆動する駆動手段と、前記図柄表示領域に対応して前記回胴体の内部に配置され且つ前記回胴体の回動方向に複数コマの第２図柄を変動表示可能な電気的表示手段とを備え、前記電気的表示手段の前記回動方向の前記第２図柄のコマ数は前記図柄表示領域の前記回動方向のコマ数と同じであり、前記電気的表示手段が内部に配置された前記回胴体は、内部の前記電気的表示手段側を前から視認可能な透過性部と視認不能な遮蔽部とを前記回動方向に有する遊技機、である点。
　　　　　　　　　　　　　　　　　　　　　　　　　　　　　　　　　
相違点；
(A) 第２図柄は、本願補正発明では、電気的表示手段の複数コマに跨がって移動するように所定の変動パターンで変動可能であるのに対して、引用発明１では、液晶表示パネルの複数コマに跨がって移動するものか明らかでない点。　　　　　　　　　　　　　　　　　　　　　　　　　
(B) 透過性部が、本願補正発明では、図柄表示領域の回動方向のコマ数と同数分だけ連続的に設けられているのに対して、引用発明１では１コマ分設けられている点。　　　　　　　　　　　　　　
　　　　　　　　　　　　　　　　　　　　　　　　　　　　　　　　　
（３）判断
　上記の相違点について検討する。
(A) の相違点について
  電気的表示手段である液晶表示手段において、図柄の変動を、複数コマに跨って移動する変動パターンとすることは下記に周知例１ないし３として例示するようにきわめて普通のことである。
　そして、これらの周知技術を勘案し、引用発明１における「液晶表示パネル１６」の「識別記号」（「第２図柄(46)」）の変動を複数コマに跨って移動する変動パターンとすることは当業者が適宜になし得る、単なる設計事項にすぎない。
　　　　　　　　　　　　　　　　　　　　　　　　　　　　　　　　　
(B) の相違点について
　引用例２には、「第１リール６の開口窓２５」を通して「内リール１７のシンボル１個を観察することができる」（摘示2-e）、遊技機としてのスロットマシンが記載されており、さらに「他の実施例」として、引用発明１（及び本願補正発明）と同様の、「リール７１」の「開口７２」を通して「リール７１」の「内壁」に取り付けた「液晶表示パネル７５」が「移動表示」する「シンボル」を観察することができる（摘示2-h）ものも記載されている。そして、上記「開口７２」は、引用発明１における「透視窓１７」（及び本願補正発明における「透過性部(20d)」）に対応するものである。
　さらに同引用例２には、「開口窓２５の大きさを複数個分のシンボルサイズに対応した大きなものにしてもよい」（摘示2-e）ことが記載されており、「開口窓２５」とは、直接的には、第１実施例に記載された、「内側」に「内リール１７」を設けた「第１リール６」の「開口窓２５」として説明されているが、「内壁」に「液晶表示パネル７５」を設けた「リール７１」の「開口７２」（他の実施例（第７図））についても全く同様であって、該「開口７２」の「大きさを複数個分のシンボルサイズに対応した大きなものにしてもよい」ことは明らかであり、引用例２の上記記載に接した当業者は、引用発明２における「開口７２」を「表示窓３〜５」を通して視認可能な「複数個分」の「シンボル」を視認可能な大きさ、すなわち、最大で「表示窓３〜５」の回動方向のコマ数と同数の大きさとしてもよいことを実体を伴って認識するものである。
　そうすると、引用例２が開示する上記技術事項を参酌し、引用発明１において、「液晶表示パネル１６」を視認できる「透視窓１７」（「透過性部(20d)」）の大きさを、「表示窓１２」（「図柄表示領域(31)」）の回動方向のコマ数と同数分の大きさとすることは、当業者であれば適宜に行うものであり、(B) の相違点に係る構成を得ることは格別困難なことではない。
　　　　　　　　　　　　　　　　　　　　　　　　　　　　　　　　
　そして、(A)及び(B)の相違点に係る発明特定事項を備えた本願補正発明の効果も、引用発明１並びに引用発明２及び周知技術から当業者が容易に予測し得る範囲内のものであって、格別顕著なものとはいえない。
　　　　　　　　　　　　　　　　　　　　　　　　　　　　　　　　　
　したがって、本願補正発明は、引用発明１並びに引用発明２及び周知技術に基いて、当業者が容易に発明をすることができたものであるから、特許出願の際独立して特許を受けることができない。
 　　　　　　　　　　　　　　　　　　　　　　　　　　　　　　　　　
【周知例】
１．特開平７−１８５０７９号公報　　　　　　　　　　　　　　　　　　　「可変表示装置６」に含まれる「ＬＣＤ表示器７５」における変動表示を、機械式の回転リールを模した画像とすることで、複数コマに跨って移動する変動表示画像とした遊技機。（段落【００３８】【００５４】）
　　　　　　　　　　　　　　　　　　　　　　　　　　　　　　　　　
２．特開平９−１４９９６５号公報　　　　　　　　　　　　　　　　　　　「液晶表示素子」からなる「表示器２」を備えた「可変表示装置１」において、画像制御手段はスクロール動画または駒送り動画による変動表示が可能な制御を行う、パチンコ機の画像表示装置。（段落【００４６】【０１３６】−【０１４５】）
　　　　　　　　　　　　　　　　　　　　　　　　　　　　　　　　　
３．特開平１１−２９９９７８号公報　　　　　　　　　　　　　　　　
　「可変表示器１１８ａ，１１８ｂ，１１８ｃ」として液晶表示板が用いられた場合、画像で表示される３列のシンボル列を個別にスクロールさせることにより、「シンボル表示窓１０３」には、それぞれのシンボル列が移動状態で表示される、パチンコ遊技機。（特許請求の範囲、段落【０００４】）
　　　　　　　　　　　　　　　　　　　　　　　　　　　　　　　　　
（４）むすび
　以上のとおり、本件補正は、平成１５年改正前の特許法第１７条の２第５項において準用する同法第１２６条第４項の規定に違反するものであり、特許法第１５９条第１項の規定において読み替えて準用する特許法第５３条第１項の規定により却下されるべきものである。
　　　　　　　　　　　　　　　　　　　　　　　　　　　　　　　　　
３．本願発明について
　平成１５年９月１８日付けの手続補正は上記のとおり却下されたので、本願の請求項１に係る発明（以下、「本願発明」という。）は、平成１５年２月７日付け手続補正書の特許請求の範囲の請求項１に記載された事項により特定される、以下のとおりのものである。
「図柄表示領域(31)と、遊技に必要な複数種類の第１図柄(43)(44)(45)が胴部(19c)(20c)(21c) に表わされ且つその回動後に前記第１図柄(43)(44)(45)のうちの回動方向に隣り合う複数コマ分が前記図柄表示領域(31)に対応して表示されるように停止する複数個の回胴体(19)(20)(21)と、該回胴体(19)(20)(21)を別々に駆動する駆動手段(22)(23)(24)と、前記図柄表示領域(31)に対応して前記回胴体(19)(20)(21)の内部に配置され且つ前記回胴体(19)(20)(21)の回動方向に複数コマの第２図柄(46)を変動表示可能な電気的表示手段(25)とを備え、前記電気的表示手段(25)の前記回動方向の前記第２図柄(46)のコマ数は前記図柄表示領域(31)の前記回動方向のコマ数と同じであり、前記電気的表示手段(25)が内部に配置された前記回胴体(19)(20)(21)は、内部の前記電気的表示手段(25)側を前から視認可能で且つ前記図柄表示領域(31)の前記回動方向のコマ数と同数分だけ連続的に設けられた透過性部(20d) と視認不能な遮蔽部(20e) とを前記回動方向に有することを特徴とする遊技機。」
　　　　　　　　　　　　　　　　　　　　　　　　　　　　　　　　　
（１）引用例
　原査定の拒絶の理由に引用された引用例、および、その記載事項は、前記「２．（１）」に記載したとおりである。
　　　　　　　　　　　　　　　　　　　　　　　　　　　　　　　　　
（２）対比・判断
　本願発明は、前記２．で検討した本願補正発明から「前記第２図柄(46)は前記電気的表示手段(25)の前記複数コマに跨がって移動するように所定の変動パターンで変動可能であり、」の限定事項を省いたものである。
　そうすると、本願発明の発明特定事項を全て含み、さらに他の事項を付加したものに相当する本願補正発明が、前記「２．（３）」に記載したとおり、引用発明１並びに引用発明２及び周知技術（周知例１ないし３）に基づいて、当業者が容易に発明をすることができたものであり、上記限定事項を省いたものに相当する本願発明は、引用発明１及び引用発明２に基いて当業者が容易に発明をすることができたものである。
　　　　　　　　　　　　　　　　　　　　　　　　　　　　　　　　　
（３）むすび
　以上のとおり、本願発明は、引用発明１及び引用発明２に基づいて当業者が容易に発明をすることができたものであるから、特許法第２９条第２項の規定により特許を受けることができない。
　よって、本願の他の請求項について論じるまでもなく、結論のとおり審決する。